(57)【要約】【課題】  使用者が温熱マッサージ器具内に設けられた手足収容部内に手足を挿入して複数の固形粒状体から形成される刺激体に接することによって、使用者の手足の温めと指圧を行う温熱マッサージ器具に関し、コンパクト化ないし軽量化を図った温熱マッサージ器具を提供する。【解決手段】  温熱マッサージ器具（１）は、容器本体（２）と温風ユニット（３）と温熱ユニット（４）とからなる。容器本体（２）は、温風ユニット収納室（２１）と温熱ユニット収納室（２２）とからなる。温風ユニット（３）は送風機（３１）と発熱体（３２）とからなる。温熱ユニット（４）は、刺激体昇降板（５）を備える刺激体収容部（４１）と手足昇降板（６）を備える手足収容部（４２）とを備える。温熱ユニット（４）の側壁（４４）には、刺激体昇降板（５）と手足昇降板（６）とを連動させて昇降させる連動昇降手段（７）を備える。【選択図】      図１
2015126837.tif 000002
【特許請求の範囲】
【請求項１】
刺激体として複数の固形粒状体を用いる温熱マッサージ器具であって、容器本体と、温風ユニットと、温熱ユニットとからなり、該容器本体は、該温風ユニットを着脱自在に収納するための温風ユニット収納室と、該温熱ユニットを着脱自在に収納するための温熱ユニット収納室とを備えており、該温風ユニット収納室と該温熱ユニット収納室とは隔壁を介して隣接しており、該隔壁には通風口が設けられており、該温風ユニットは、送風機と発熱体とからなり、該温熱ユニットは、刺激体収容部と手足収容部とを備えており、該刺激体収容部と該手足収容部とは隔壁を介して隣接して設けられており、該刺激体収容部は、刺激体を収容するための部位であって、その内部には該刺激体の排出と収容を行う刺激体昇降板を備えており、該手足収容部は、使用者の手足を挿入するための部位であって、その内部には使用者の手足の出し入れを行う手足昇降板を備えており、該温熱ユニットの側壁には、該刺激体昇降板と該手足昇降板とを連結して、該刺激体昇降板が該手足昇降板の下降に伴って上昇することによって該刺激体収容部内に収容されている該刺激体を該手足収容部内に排出するとともに、該刺激体昇降板が該手足昇降板の上昇に伴って下降することによって該手足収容部内に排出されている該刺激体を該刺激体収容部内に収容するための該刺激体昇降板と該手足昇降板とを昇降させる連動昇降手段を備えていることを特徴とする温熱マッサージ器具。
【請求項２】
請求項１に記載した温熱マッサージ器具であって、前記連動昇降手段として、刺激体昇降板上下スライド機構と、手足昇降板上下スライド機構と、索部材と、滑車とからなる一式の手段が前記温熱ユニットの相対する側壁にそれぞれ備えられているとともに、連結軸と、ペダルとを備えており、該刺激体昇降板上下スライド機構は、刺激体昇降板取付スライダーと刺激体昇降板取付ガイドレールと刺激体昇降板支持アームとからなり、該刺激体昇降板取付けスライダーが該刺激体昇降板取付けガイドレールに相対的に摺動可能なように取り付けられており、該刺激体昇降板支持アームは、前記刺激体昇降板を支持するための部材であって、前記刺激体収容部を挟んで相対する該刺激体昇降板取付けスライダーを連結しており、該手足昇降板上下スライド機構は、手足昇降板取付スライダーと手足昇降板取付ガイドレールと手足昇降板支持アームとからなり、該手足昇降板取付けスライダーが該手足昇降板取付けガイドレールに相対的に摺動可能なように取り付けられており、該手足昇降板支持アームは、前記手足昇降板を支持するための部材であって、前記手足収容部を挟んで相対する該手足昇降板取付けスライダーを連結しており、該索部材は、該刺激体昇降板取付けスライダーと該手足昇降板取付けスライダーとを連結するためのリング状の索部材であって、該温熱ユニットに取り付けられている該滑車にかけ回されており、該連結軸は、該温熱ユニットを挟んで相対する該滑車を連結しており、該ペダルは、使用者が該刺激体昇降板を押し下げるためのペダルであって、該刺激体昇降板に連なっていることを特徴とする温熱マッサージ器具。
【請求項３】
請求項１又は２に記載した温熱マッサージ器具であって、前記手足昇降板及び／又は前記刺激体昇降板をそれぞれ上方に付勢するスプリング部が備えられていることを特徴とする温熱マッサージ器具。
【請求項４】
請求項１から３までの何れかに記載した温熱マッサージ器具であって、前記温熱ユニットにおける隔壁に通風口が設けられているとともに、該温熱ユニットにおける側壁にも通風口が設けられており、該温熱ユニットの下部には送風機が取り付けられていることを特徴とする温熱マッサージ器具。
【発明の詳細な説明】
【技術分野】
【０００１】
本発明は、温熱マッサージ器具に関し、使用者が該温熱マッサージ器具内に設けられた手足収容部内に手足を挿入して、該手足収容部内において複数の固形粒状体から形成される刺激体に接することによって、使用者の手足を温めると同時に指圧を行うこともできる温熱マッサージ器具に関する。
【背景技術】
【０００２】
従来、温熱マッサージ器具には、使用者の手足に接することによって使用者の手足を温めると同時に指圧を行うことを目的として、ストーンボールやセラミックボール等の蓄熱性を有する複数の固形粒状体を刺激体として用いる温熱マッサージ器具が存在する。該温熱マッサージ器具は、使用者の手足を温めるための伝熱媒体として空気や温水を用いる他の温熱器具に比べて、該温熱マッサージ器具内に収容した使用者の手足を温めると同時に指圧もできるという効果を奏することができ、また煩雑な準備作業や後片付けも不要であるから手軽に使用することができるため、好適である。
【０００３】
ここで、刺激体として複数の固形粒状体を用いる温熱マッサージ器具には、容器本体と、使用者の手足を挿入する手足収容部と、該手足収容部に隣接して設けられる該刺激体を収容する刺激体収容部と、該刺激体を加熱する発熱体とから構成されており、該手足収容部内に使用者の手足の出し入れを行う手足昇降板を備え、該伝熱媒体収容部内には該刺激体の排出と収容を行う刺激体昇降板を備えるとともに、該刺激体昇降板が、該手足昇降板の下降に伴って上昇することにより該刺激体収容槽内に収容されている該刺激体を該手足収容槽内に排出し、該手足昇降板の上昇に伴って下降することにより該手足収容槽内に排出されている該刺激体を該刺激体収容槽内に排出し収容するための該手足昇降板と該伝熱媒体昇降板とを連動して昇降させる手段を備える温熱マッサージ器具が提案されている。
【先行技術文献】
【特許文献】
【０００４】
【特許文献１】実登３１４１２０８号公報
【０００５】
上記のような温熱マッサージ器具によれば、該手足収容部内の容積を使用者の手足が挿入できれば十分な容積にすれば足りるため、該刺激体の分量を使用者の手足を温めると同時に指圧するという効果を奏し得る必要最小限のものとすることができる。そうすると、該温熱マッサージ器具は、手足収容部と伝熱媒体収容部が単一槽によって形成されている温熱マッサージ器具に比べて、該刺激体を加熱する発熱体から使用者の手足への伝熱効率を向上させることができ、該温熱器具の軽量化を図って移動性を高めることができるとともに、該刺激体の入れ替えにかかる作業を簡便なものとすることができ、しかも該温熱器具の製作及び維持に係る費用を削減できることから、業務用の温熱器具としてはもちろん個人用ないし家庭用の温熱器具としても手軽に使用することができるため、好適である。
【発明の開示】
【発明が解決しようとする課題】
【０００６】
しかしながら、上記の従来技術に係る刺激体収容部と手足収容部とを別個に有するとともに刺激体昇降板と手足昇降板とを連動して昇降させる手段を備える温熱マッサージ器具は、刺激体収容部と手足収容部とが単一槽によって形成されている温熱マッサージ器具に比べて、その構造が複雑であるために製作ないし修理するのが困難であるという問題があった。そのために、該温熱マッサージ器具を製作ないし修理する際に、費用と労力がかかるものとなっていた。
【０００７】
また、上記の従来技術に係る刺激体収容部と手足収容部とを別個に有するとともに刺激体昇降板と手足昇降板とを連動して昇降させる手段を備える温熱マッサージ器具は、該刺激体収容部と該手足収容部と該発熱体とを該温熱マッサージ器具本体に組み入れて製作するため、必然的に該温熱マッサージ器具の大きさないし形状が限定されてしまうことから、その大きさないし形状を適宜変更することが困難であるという問題があった。
【０００８】
そこで、本発明の第一の課題は、以上のような問題を解決するために、刺激体収容部と手足収容部とを別個に有するとともに刺激体昇降板と手足昇降板とを連動して昇降させる手段を備える温熱マッサージ器具につき、刺激体収容部と手足収容部と温風発生部とを該温熱マッサージ器具本体から着脱自在な構造とした温熱マッサージ器具を提供することにある。
【０００９】
また、上記の従来技術に係る刺激体収容部と手足収容部とを別個に有するとともに刺激体昇降板と手足昇降板とを連動して昇降させる手段を備える温熱マッサージ器具は、該刺激体又は使用者の手足の重量が偏ってかかること等によって該刺激体昇降板及び該手足昇降板がバランスを崩して傾いてしまい円滑に昇降させることができないという問題があった。
【００１０】
そこで、本発明の第二の課題は、刺激体収容部と手足収容部とを別個に有するとともに刺激体昇降板と手足昇降板とを連動して昇降させる手段を備える温熱マッサージ器具につき、該刺激体昇降板及び該手足昇降板を円滑に昇降させることができる温熱マッサージ器具を提供することにある。
【００１１】
また、上記の従来技術に係る刺激体収容部と手足収容部とを別個に有するとともに刺激体昇降板と手足昇降板とを連動して昇降させる手段を備える温熱マッサージ器具は、とりわけ該刺激体が重量を有するため、使用者の手足による該手足昇降板又は該刺激体昇降板に対する押し下げ動作だけではこれらを円滑に昇降させることができないという問題があった。
【００１２】
そこで、本発明の第三の課題は、刺激体収容部と手足収容部とを別個に有するとともに刺激体昇降板と手足昇降板とを連動して昇降させる手段を備える温熱マッサージ器具につき、使用者が該手足昇降板又は該刺激体昇降板を押し下げる際の労力を軽減することができる温熱マッサージ器具を提供することにある。
【００１３】
そして、上記の従来技術に係る刺激体収容部と手足収容部とを別個に有するとともに刺激体昇降板と手足昇降板とを連動して昇降させる手段を備える温熱マッサージ器具は、発熱体によって該刺激体を加熱するものであり、該発熱体としては一般にハロゲンヒータ、カーボンヒータ、もしくはセラミックヒータ等の公知の面状の電気温熱ヒータを用いていた。該温熱マッサージ器具は、上記の通り、刺激体収容部と手足収容部とが単一槽によって形成されている温熱マッサージ器具に比べて、該刺激体の分量を削減することができたため、該発熱体から生じた熱が該手足収容部に挿入した使用者の手足に達するまでの伝熱効率が向上している。
【００１４】
しかしながら、専ら該発熱体によって該刺激体を加熱しようとすると、該発熱体の付近にある該刺激体は温まるものの、該発熱体から遠隔にある該刺激体は温まりにくいため、該発熱体による該刺激体に対する加熱にはムラが生じていた。また、該発熱体によって生じた熱が該温熱マッサージ器具の外部へと漏出してしまうため、該刺激体の加熱に多くの時間とエネルギーを要してしまうという問題があった。
【００１５】
そこで、本発明の第四の課題は、上記の従来技術に係る刺激体収容部と手足収容部とを別個に有するとともに刺激体昇降板と手足昇降板とを連動して昇降させる手段を備える温熱マッサージ器具につき、該刺激体を均一に加熱することができるとともに、その外部への熱の漏出を防止することができる温熱マッサージ器具を提供することにある。
【課題を解決するための手段】
【００１６】
本発明は、上記の各課題を解決するために提案されたものであり、以下の構成を有するものである。以下では、本発明の構成を理解することを補助するために、本願に添付した図面に表示した番号及び符号をあわせて記載する。
【００１７】
請求項１に係る刺激体として複数の固形粒状体を用いる温熱マッサージ器具（１）は、容器本体（２）と、温風ユニット（３）と、温熱ユニット（４）とからなる。容器本体（２）は、温風ユニット（３）を着脱自在に収納するための温風ユニット収納室（２１）と、温熱ユニット（４）を着脱自在に収納するための温熱ユニット収納室（２２）とを備えており、温風ユニット収納室（２１）と温熱ユニット収納室（２２）とは隔壁（２３）を介して隣接しており、隔壁（２３）には通風口（２３ａ、２３ｂ）が設けられている。温風ユニット（３）は、送風機（３１）と発熱体（３２）とからなる。温熱ユニット（４）は、刺激体収容部（４１）と手足収容部（４２）とを備えており、刺激体収容部（４１）と手足収容部（４２）とは隔壁（４３）を介して隣接して設けられている。刺激体収容部（４１）は、刺激体（１１）を収容するための部位であって、その内部には刺激体（１１）の排出と収容を行う刺激体昇降板（５）を備えている。手足収容部（４２）は、使用者の手足（１２）を挿入するための部位であって、その内部には使用者の手足（１２）の出し入れを行う手足昇降板（６）を備えている。温熱ユニット（４）の側壁（４４）には、刺激体昇降板（５）と手足昇降板（６）とを連結して、刺激体昇降板（５）が手足昇降板（６）の下降に伴って上昇することによって刺激体収容部（４１）内に収容されている刺激体（１１）を手足収容部（４２）内に排出するとともに、刺激体昇降板（５）が手足昇降板（６）の上昇に伴って下降することによって手足収容部（４２）内に排出されている刺激体（１１）を刺激体収容部（４１）内に収容するための刺激体昇降板（５）と手足昇降板（６）とを昇降させる連動昇降手段（７）を備えている。
【００１８】
請求項２に係る刺激体として複数の固形粒状体を用いる温熱マッサージ器具（１）は、請求項１に記載した温熱マッサージ器具であって、連動昇降手段（７）として、刺激体昇降板上下スライド機構（７１）と、手足昇降板上下スライド機構（７２）と、索部材（７３）と、滑車（７４）とからなる一式の手段が温熱ユニット（４）の相対する側壁（４４）にそれぞれ備えられているとともに、連結軸（７５）と、ペダル（７６）とを備えている。刺激体昇降板上下スライド機構（７１）は、刺激体昇降板取付スライダー（７１ａ）と刺激体昇降板取付ガイドレール（７１ｂ）と刺激体昇降板支持アーム（７１ｃ）とからなり、刺激体昇降板取付けスライダー（７１ａ）が刺激体昇降板取付けガイドレール（７１ｂ）に相対的に摺動可能なように取り付けられており、刺激体昇降板支持アーム（７１ｃ）は、刺激体昇降板（５）を支持するための部材であって、刺激体収容部（４１）を挟んで相対する刺激体昇降板取付けスライダー（７１ａ）を連結している。手足昇降板上下スライド機構（７２）は、手足昇降板取付スライダー（７２ａ）と手足昇降板取付ガイドレール（７２ｂ）と手足昇降板支持アーム（７２ｃ）とからなり、手足昇降板取付けスライダー（７２ａ）が手足昇降板取付けガイドレール（７２ｂ）に相対的に摺動可能なように取り付けられており、手足昇降板支持アーム（７２ｃ）は、手足昇降板（６）を支持するための部材であって、手足収容部（４２）を挟んで相対する手足昇降板取付けスライダー（７２ａ）を連結している。索部材（７３）は、刺激体昇降板取付けスライダー（７１ａ）と手足昇降板取付けスライダー（７２ａ）とを連結するためのリング状の索部材であって、温熱ユニット（４）に取り付けられている滑車（７４）にかけ回されている。連結軸（７５）は、温熱ユニット（４）を挟んで相対する滑車（７４）を連結している。ペダル（７６）は、使用者が刺激体昇降板（５）を押し下げるためのペダルであって、刺激体昇降板（５）に連なっている。
【００１９】
請求項３に係る刺激体として複数の固形粒状体を用いる温熱マッサージ器具は、請求項１又は２に記載した温熱マッサージ器具であって、手足昇降板（５）及び／又は刺激体昇降板（６）をそれぞれ上方に付勢するスプリング部（８）が備えられている。
【００２０】
請求項４に係る刺激体として複数の固形粒状体を用いる温熱マッサージ器具は、請求項１から３までの何れかに記載した温熱マッサージ器具であって、温熱ユニット（４）における隔壁（４３）に通風口（４３ａ）が設けられているとともに、温熱ユニット（４）における側壁（４４）にも通風口（４４ａ）が設けられており、温熱ユニット（４）の下部には送風機（９）が取り付けられている。
【発明の効果】
【００２１】
本発明に係る刺激体として複数の固形粒状体を用いる温熱マッサージ器具は、上記の通りの構成であるから、以下のような効果を得ることができる。
【００２２】
請求項１に記載した温熱マッサージ器具（１）は、容器本体（２）と温風ユニット（３）と温熱ユニット（４）とを別体のものとして形成し、容器本体（２）が温風ユニット（３）を着脱自在に収納することができる温風ユニット収納室（２１）と温熱ユニット（４）を着脱自在に収納することができる温熱ユニット収納室（２２）とを備えている。
【００２３】
従って、請求項１に記載した温熱マッサージ器具は、刺激体収容部と手足収容部とを別個に有するとともに刺激体昇降板と手足昇降板とを連動して昇降させる手段を備える温熱マッサージ器具につき、刺激体収容部と手足収容部と温風発生部とを該温熱マッサージ器具本体から着脱自在な構造とした温熱マッサージ器具を提供するという本発明の第一の課題を解決することができる。
【００２４】
そうすると、容器本体（２）と温風ユニット（３）と温熱ユニット（４）とを別個に製作して組み合わせることによって、温熱マッサージ器具（１）を簡便に製作することができる。また、容器本体（２）と温風ユニット（３）と温熱ユニット（４）とが個別的に形成されていることから、温熱マッサージ器具（１）を分解するのが容易であって簡便に修理することができる。
【００２５】
また、温熱マッサージ器具（１）は、容器本体（２）と温風ユニット（３）と温熱ユニット（４）とを別個に製作するものであるから、温風ユニット（３）及び温熱ユニット（４）を収納することができれば、容器本体（２）の大きさないし形状を適宜変更することができる。
【００２６】
請求項２に記載した温熱マッサージ器具（１）は、請求項１に記載した温熱マッサージ器具であって、連動昇降手段（７）として、刺激体昇降板上下スライド機構（７１）と、手足昇降板上下スライド機構（７２）と、索部材（７３）と、滑車（７４）とからなる一式の手段が温熱ユニット（４）の相対する側壁（４４）にそれぞれ備えられているとともに、刺激体昇降板支持アーム（７１ｃ）が刺激体収容部（４１）を挟んで相対する刺激体昇降板取付けスライダー（７１ａ）を連結していて、手足昇降支持アーム（７２ｃ）が手足収容部（４２）を挟んで相対する手足昇降板取付けスライダー（７２ａ）を連結しており、連結軸（７５）が温熱ユニット（４）を挟んで相対する滑車（７４）を連結していることから、刺激体昇降板（５）及び手足昇降板（６）をそのバランスを崩すことなく円滑に昇降させることができる。
【００２７】
従って、請求項２に記載した温熱マッサージ器具は、刺激体収容部と手足収容部とを別個に有するとともに刺激体昇降板と手足昇降板とを連動して昇降させる手段を備える温熱マッサージ器具につき、該刺激体昇降板及び該手足昇降板を円滑に昇降させることができる温熱マッサージ器具を提供するという本発明の第二の課題を解決することができる。
【００２８】
請求項３に記載した温熱マッサージ器具（１）は、請求項１又は２に記載した温熱マッサージ器具であって、刺激体昇降板（５）及び／又は手足昇降板（６）をそれぞれ上方に付勢するスプリング部（８）が備えられている。従って、使用者が手足昇降板（６）を押し下げる際には、スプリング部（８）によって刺激体（１１）を積載している刺激体昇降板（５）に上方への引上げ力が作用することから、使用者は少ない労力によって手足昇降板（６）を押し下げて手足収容部（４２）内に刺激体（１１）を排出することができる。また、使用者が刺激体昇降板（５）を押し下げる際には、スプリング部（８）によって刺激体（１１）を積載している手足昇降板（６）に上方への引上げ力が作用することから、使用者は少ない労力によって刺激体昇降板（５）を押し下げて刺激体収容部（４１）内に刺激体（１１）を収容することができる。
【００２９】
従って、請求項３に記載した温熱マッサージ器具は、刺激体収容部と手足収容部とを別個に有するとともに刺激体昇降板と手足昇降板とを連動して昇降させる手段を備える温熱マッサージ器具につき、使用者が該刺激体昇降板又は該手足昇降板を押し下げる際の労力を軽減することができる温熱マッサージ器具を提供するという本発明の第三の課題を解決することができる。
【００３０】
請求項４に記載した温熱マッサージ器具（１）は、請求項１から３までの何れかに記載した温熱マッサージ器具であって、温熱ユニット（４）における隔壁（４３）に通風口（４３ａ）が設けられているとともに、温熱ユニット（４）における側壁（４４）にも通風口（４４ａ）が設けられており、温熱ユニット（４）の下部には送風機（９）が取り付けられているため、温風ユニット（３）から供給される温風を容器本体（２）内に効率良く循環させて刺激体（１１）をムラなく加熱することができる。
【００３１】
従って、請求項４に記載した温熱マッサージ器具は、刺激体収容部と手足収容部とを別個に有するとともに刺激体昇降板と手足昇降板とを連動して昇降させる手段を備える温熱マッサージ器具につき、該刺激体を均一に加熱することができるとともに、その外部への熱の漏出を防止することができる温熱マッサージ器具を提供するという本発明の第四の課題を解決することができる。
【図面の簡単な説明】
【００３２】
【図１】本発明の一実施形態に係る温熱マッサージ器具を示した平面図であって、片側の温熱ユニット収納室にのみ温熱ユニットを収納した状態を示した図である。
【図２】本発明の一実施形態に係る温熱マッサージ器具における容器本体を示した平面図である。但し、左右対称であるため、片側にのみ番号及び符号を付している。
【図３】本発明の一実施形態に係る温熱マッサージ器具を示した平面図である。但し、左右対称であるため、左側に温熱ユニットに係る番号及び符号を付するとともに、右側に容器本体に係る番号及び符号を付している。
【図４】本発明の一実施形態に係る温熱マッサージ器具における温風ユニット収納室を示した断面図である。
【図５】本発明の一実施形態に係る温熱マッサージ器具における温風ユニット収納室を示した断面図であって、温風ユニット及び温風案内体を設置した状態を示した図である。
【図６】本発明の一実施形態に係る温熱マッサージ器具における温熱ユニット収納室に温熱ユニットを収納した状態を示した刺激体収容部側の断面図である。
【図７】本発明の一実施形態に係る温熱マッサージ器具における温熱ユニット収納室に温熱ユニットを収納した状態を示した刺激体収容部側の断面図であって、刺激体を収容した状態を示した図である。
【図８】本発明の一実施形態に係る温熱マッサージ器具における温熱ユニット収納室に温熱ユニットを収納した状態を示した手足収容部側の断面図である。
【図９】本発明の一実施形態に係る温熱マッサージ器具における温熱ユニット収納室に温熱ユニットを収納した状態を示した手足収容部側の断面図であって、使用者の手足と刺激体を手足収容部側に収容した状態を示した図である。
【図１０】本発明の一実施形態に係る温熱マッサージ器具における温熱ユニットの一方の側壁に取り付けられた連動昇降手段を示した正面図である。
【図１１】本発明の一実施形態に係る温熱マッサージ器具における温熱ユニットの他方の側壁に取り付けられた連動昇降手段を示した正面図である。
【図１２】本発明の一実施形態に係る温熱マッサージ器具における連動昇降手段を示した側面図であって温熱ユニットの図示を省略した図である。
【発明を実施するための形態】
【００３３】
まず、本発明の一実施形態に係る温熱マッサージ器具の構造について添付図面に基づいて説明する。
【００３４】
本発明に係る温熱マッサージ器具（１）は、図１に図示するように、容器本体（２）と、温風ユニット（３）と、温熱ユニット（４）とから形成されており、容器本体（２）に対して温風ユニット（３）と温熱ユニット（４）とが着脱自在な構造となっている。
【００３５】
容器本体（２）は、図２に図示するように、温風ユニット（３）を着脱自在に収納するための温風ユニット収納室（２１）と、温熱ユニット（４）を着脱自在に収納するための温熱ユニット収納室（２２）とを備えており、温風ユニット収納室（２１）と温熱ユニット収納室（２２）とは隔壁（２３）を介して隣接している。また、隔壁（２３）には、図４及び５に図示するように、温風ユニット収納室（２１）から温熱ユニット収納室（２２）に温風を供給するための複数の正円状の通風口（２３ａ）が刺激体収容部（４１）に面する部分に設けられているとともに、温熱ユニット収納室（２２）から温風ユニット収納室（２１）に温風を回帰するための四角形状の通風口（２３ｂ）が側壁（２４Ｂ）と側壁（４４Ｂ）との間に面する部分に設けられている。
【００３６】
容器本体（２）は、金属、木材、プラスチック等によって形成されるが、刺激体（１１）及び使用者の手足（１２）の重量等に耐えることができる強固な材料であれば、特に限定されるものではない。図１から３では、容器本体（２）の全体的な平面視形状は略扇状であるが、長方体状その他の形状にすることも可能である。また、容器本体（２）は、グラスウール、ロックウール等の断熱性のある素材によって形成される断熱層を有することによって、温熱マッサージ器具（１）の保温性を高めることができ、一層好適である。
【００３７】
容器本体（２）において温風ユニット収納室（２１）及び温熱ユニット収納室（２２）の上面部分は開放されているから、温風ユニット収納室（２１）に温風ユニット（３）を着脱自在に収納することができるとともに、温熱ユニット収納室（２２）に温熱ユニット（４）を着脱自在に収納することができる。また、刺激体収容部（４１）に刺激体（１１）を出し入れすることができるとともに、手足収容部（４２）に使用者の手足（１２）を出し入れすることができる。図では、温風ユニット収納室（２１）及び温熱ユニット収納室（２２）の上面部分は常に開放された構造となっているが、温風ユニット収納室（２１）及び温熱ユニット収納室（２２）の上面部分を覆う蓋部材を適宜備えることによって開閉自在な構造とすることも可能である。
【００３８】
温風ユニット収納室（２１）は、図１から５に図示するように、隔壁（２３）と側壁（２４Ａ）と底面（２５）とによって囲まれた平面視略二等辺三角形状の空間である。もっとも、容器本体（２）又は温熱ユニット収納室（２２）の形状にあわせて、その他の形状の空間にすることも可能である。図１から３に図示するように、温風ユニット収納室（２１）の側面内壁には、温風ユニット（３）を構成する取付け板（３３）の端部を嵌合させて着脱自在に取り付けるための切欠き（２１ａ）が二箇所相対するように設けられている。
【００３９】
また、図１、３、及び５に図示するように、温風ユニット収納室（２１）の左右両側に温熱ユニット収納室（２２）を設ける際には、三角柱状の温風案内体（１０）を設置することによって、温風ユニット（３）から供給される温風を左右に二分すると、温熱ユニット収納室（２２）内へと温風が速やかに供給され、好適である。温風案内体（１０）は、底面（２５）に固着されていてもよく、着脱自在であってもよい。
【００４０】
温熱ユニット収納室（２２）は、図１から３に図示するように、隔壁（２３）と側壁（２４Ｂ，２４Ｃ，２４Ｄ）と底面（２５）とによって囲まれた平面視長方形状の空間である。もっとも、容器本体（２）又は温風ユニット収納室（２１）の形状にあわせて、その他の形状の空間にすることも可能である。温熱ユニット収納室（２２）の隔壁（２３）と側壁（２４Ｃ）には平面視前後左右の四ヵ所に、温熱ユニット（４）の側壁（４４）の端部をそれぞれ嵌合させて着脱自在に取り付けるための切欠き（２２ａ）が設けられている。また、温熱ユニット（４）を案内するための手足昇降板（６）の外形形状に対応する柱状の温熱ユニット案内体（２２ｂ）を温熱ユニット収納室（２２）内に設置すると、温熱ユニット（４）をより円滑に昇降させることができ、好適である。尚、温熱ユニット収納室（２２）内に温熱ユニット（４）を収納した際に温熱ユニット（４）の側壁（４４Ｂ）に設けられた通風口（４４ａ）を閉塞しないように、温熱ユニット案内体（２２ｂ）の下部には切り欠きを設けるのが好適である。そして、温熱ユニット（４）を収納した際に温熱ユニット収納室（２２）の下部に空間を設けるために、温熱ユニット収納室（２２）の底面には支持台（２２ｃ）が設置されている。更に、温熱ユニット収納室（２２）の側面には、刺激体昇降板支持アーム（７１ｃ）の端部を容器本体（２）の外部に差し出すための上端の開放されたスリット（２２ｄ）が設けられている。
【００４１】
温風ユニット（３）は、図１、３、及び５に図示するように、貫通孔の穿設された直方体平板状の取付け板（３３）に送風機（３１）と発熱体（３２）とを取り付けて形成される。ここで、送風機（３１）には公知の各種小型送風機を用いることができ、発熱体（３２）には公知の各種電気温熱ヒータを用いることができ、その種類は特に限定されない。即ち、取付け板（３３）の一面に取り付けられた送風機（３１）から送り出された空気が貫通孔を通って取付け板（３３）の他面に取り付けられた発熱体（３２）によって熱せられて温風となり、通風口（２３ａ）を介して温熱ユニット収納室（２２）内へと供給されるのである。
【００４２】
温熱ユニット（４）は、図１及び３に図示するように、刺激体収容部（４１）と手足収容部（４２）とを備えており、刺激体収容部（４１）と手足収容部（４２）とは隔壁（４３）を介して隣接して設けられている。即ち、温熱ユニット（４）は、隔壁（４３）と、刺激体収容部（４１）と手足収容部（４２）とを挟んで相対する２枚の側壁（４４）と、刺激体収容部底板（４５）と、手足収容部底板（４６）とから構成されており、刺激体収容部底板（４５）と手足収容部底板（４６）とは上げ底になっている。尚、隔壁（４３）の上縁は、側壁（４４）の上縁よりも低いものとなっており、連動昇降手段（７）を作動させて刺激体収容部（５）に刺激体（１１）を出し入れする際に、刺激体（１１）が側壁（４４）の上縁からこぼれ落ちることを防止している。
【００４３】
刺激体収容部（４１）は、図６及び７に図示するように、刺激体（１１）を収容するための部位であって、その内部に刺激体（１１）の排出と収容を行う刺激体昇降板（５）を備えている。手足収容部（４２）は、図８及び９に図示するように、使用者の手足（１２）を挿入するための部位であって、その内部に使用者の手足の出し入れを行う手足昇降板（６）を備えている。
【００４４】
刺激体昇降板（５）は、図１、３、６及び７に図示するように、例えば各種の公知の金網又はパンチングメタル等の通風口（５ａ）の設けられている平板状の部材を用いることができる。また、温熱マッサージ器具（１）は、刺激体昇降板（５）の上面に温度センサ（５ｂ）が取り付けられており、刺激体昇降板（５）上に積載された刺激体（１１）の温度及び刺激体収容部（４１）内に進入する温風の温度を計測して、温風ユニット（３）のスイッチの切替えを行う。刺激体昇降板（５）に通風口（５ａ）が設けられていることにより、とりわけ刺激体（１１）を手足収容部（６）に排出し収容した場合に、温度センサ（５ｂ）が刺激体収容部（４１）内に進入する温風の温度を適切に計測するのに好適である。
【００４５】
手足昇降板（６）は、図１、３、８及び９に図示するように、平板状の部材であり、下部にはバイブレータ（６ａ）が取り付けられている。バイブレータ（６ａ）を作動させることによって、手足昇降板（６）及び手足昇降板（６）上に積載された刺激体（１１）を振動させ、手足収容部（４２）内に収容した使用者の手足（１２）に更に刺激を与えることができる。また、手足収容部底板（４６）の下部には貫通孔が穿設されており送風機（９）が取り付けられている。手足収容部（４２）の形状を直方体状とした場合には、図１及び３に図示するように、手足昇降板（６）及び手足収容部底板（４６）はその平面視形状を四隅の角を落とした形状とすると、手足収容部（４２）を満たすのに必要な刺激体（１１）の分量を更に減らすことができ、好適である。
【００４６】
図６及び８に図示するように、隔壁（４３）には、刺激体収容部底板（４５）及び手足収容部底板（４６）の上部に複数の正円状の通風口（４３ａ）が設けられている。温風ユニット（３）から供給される温風が通風口（４３ａ）を通って手足収容部（４２）内へと進入する。
【００４７】
温熱ユニット（４）は、金属、木材、プラスチック等によって形成されるが、刺激体（１１）及び使用者の手足（１２）の重量に耐えることができるとともに、加熱された刺激体（１１）を収容しても変形等することのない強固な材料であれば、特に限定されるものではない。温熱ユニット（４）の寸法は、温熱マッサージ器具（１）が人の両手又は両足の温め及び指圧を目的とする場合において、片手又は片足用に一槽ずつ設けるときには、人の片手又は片足を挿入し得る寸法の手足収容部（４２）と、手足収容部（４２）を満たすことができる分量からなる刺激体（１１）を収容することができる寸法の刺激体収容部（４１）を備えることができれば、特に限定されるものではない。もとより、温熱マッサージ器具（１）が人の片手又は片足の温め及び指圧を目的とする場合には、前記の寸法に係る温熱ユニット（４）を一台のみ設けてもよい。また、温熱マッサージ器具（１）が人の両手又は両足の温め及び指圧を目的とする場合に、その寸法を両手又は両足を挿入し得る寸法として、両手又は両足用に一槽のみ設けることももちろん可能である。
【００４８】
温熱ユニット（４）には、図１０及び１１に図示するように、刺激体昇降板支持アーム（７１ｃ）の端部を温熱ユニット（４）の外部に差し出すためのスリット（４１ａ）が両側の側壁（４４）の刺激体収容部（４１）側に設けられているとともに、手足昇降板支持アーム（７２ｃ）の端部を温熱ユニット（４）の外部に差し出すためのスリット（４２ａ）が両側の側壁（４４）の手足収容部（４２）側に設けられている。また、片側の側壁（４４Ｂ）には、通風口（４４ａ）が設けられている。
【００４９】
連動昇降手段（７）は、図１０、１１、及び１２に図示するように、側壁（４４）の外面に取り付けられており、刺激体昇降板（５）と手足昇降板（６）とを連結して、刺激体昇降板（５）が手足昇降板（６）の下降に伴って上昇することによって刺激体収容部（４１）内に収容されている刺激体（１１）を手足収容部（４２）内に排出するとともに、刺激体昇降板（５）が手足昇降板（６）の上昇に伴って下降することによって手足収容部（４２）内に排出されている刺激体（１１）を刺激体収容部（４１）内に収容するための刺激体昇降板（５）と手足昇降板（６）とを昇降させるための手段である。即ち、連動昇降手段（７）は、刺激体昇降板上下スライド機構（７１）と、手足昇降板上下スライド機構（７２）と、索部材（７３）と、滑車（７４）とからなる一式の手段が両側の側壁（４４）にそれぞれ備えられているとともに、連結軸（７５）と、ペダル（７６）とが備えられている。
【００５０】
刺激体昇降板上下スライド機構（７１）は、刺激体昇降板（５）を昇降させるための手段であって、刺激体昇降板取付スライダー（７１ａ）と刺激体昇降板取付ガイドレール（７１ｂ）と刺激体昇降支持アーム（７１ｃ）とからなる。刺激体昇降板取付けスライダー（７１ａ）は、刺激体昇降板取付けガイドレール（７１ｂ）に相対的に摺動可能なように嵌合されている。刺激体昇降板支持アーム（７１ｃ）は、縦長平板状の部材であって、中央部に形成された平面には刺激体昇降板（５）が取り付けられており、スリット（４１ａ）の外部に差し出された部分には刺激体昇降板取付けスライダー（７１ａ）が取り付けられているとともに、更にスリット（２２ｄ）を介して容器本体（２）の外部に差し出された端部には、該端部に形成された平面にペダル（７６）が取り付けられている。また、刺激体昇降板支持アーム（７１ｃ）は、刺激体収容部（４１）を挟んで相対する刺激体昇降板取付けスライダー（７１ａ）を連結している。
【００５１】
手足昇降板上下スライド機構（７２）は、手足昇降板（６）を昇降させるための手段であって、手足昇降板取付スライダー（７２ａ）と手足昇降板取付ガイドレール（７２ｂ）と手足昇降板支持アーム（７２ｃ）とからなる。手足昇降板取付けスライダー（７２ａ）は、手足昇降板取付けガイドレール（７２ｂ）に相対的に摺動可能なように嵌合されている。手足昇降板支持アーム（７２ｃ）は、縦長平板状の部材であって、その中央部に形成された平面に手足昇降板（６）が取り付けられているとともに、スリット（４２ａ）を介して温熱ユニット（４）の外部に差し出された端部に手足昇降板取付けスライダー（７２ａ）が取り付けられており、手足収容部（４２）を挟んで相対する手足昇降板取付けスライダー（７２ａ）を相互に連結している。
【００５２】
索部材（７３）は、刺激体昇降板取付けスライダー（７１ａ）と手足昇降板取付けスライダー（７２ａ）とを連結するためのリング状の索部材であって、温熱ユニット（４）の側面外壁の上下に取り付けられた滑車（７４）にかけ回されている。尚、滑車（７４）にはスプロケットを用いるとともに、索部材（７３）にはスプロケットチェーンを用いることによって、滑車（７４）における索部材（７３）の滑りを防止することができ、好適である。
【００５３】
連結軸（７５）は、直線丸棒状の部材であって、温熱ユニット（４）を挟んで相対して取り付けられている滑車（７４）を相互に連結して連動するように構成している。
【００５４】
ペダル（７６）は、使用者が刺激体昇降板（５）を押し下げるためのペダルであって、箱形の部材である。ペダル（７６）は、温熱ユニット（４）を温熱ユニット収納部（４２）に収納した際に、スリット（４１ａ）及びスリット（２２ｄ）を介して容器本体（２）の外部に差し出される刺激体昇降板支持アーム（７１ｃ）の端部に取り付けられている。
【００５５】
スプリング部（８）は、図示するように、刺激体昇降板（５）を上方に付勢するための刺激体昇降板上方付勢スプリング部（８１）と、手足昇降板（６）を上方に付勢するため手足昇降板上方付勢スプリング部（８２）とから構成される。即ち、刺激体昇降板上方付勢スプリング部（８１）は、スプリング部材（８１ａ）の一端が刺激体収容部（４１）側の側壁（４４）上部に取り付けられており、他端が索部材（８１ｂ）を介して刺激体昇降板取付けスライダー（７１ａ）に取り付けられている。また、手足昇降板上方付勢スプリング部（８２）は、スプリング部材（８２ａ）の一端が手足収容部（４２）側の側壁（４４）上部に取り付けられており、他端が索部材（８２ｂ）を介して手足体昇降板取付けスライダー（７２ａ）に取り付けられている。
【００５６】
スプリング部（８）をスプリング部材（８１ａ、８２ｂ）のみによって形成すると、使用者が刺激体昇降板（５）又は手足昇降板（６）を押し下げる際にかえって抵抗を生じてしまう。そこで、刺激体（１１）が刺激体昇降板（５）又は手足昇降板（６）上に満載されている状態では、使用者が手足昇降板（６）又はペダル（７６）を押し下げ始める際に特に労力を要するところ、索部材（８１ｂ、８２ｂ）を介することによって、手足昇降板（６）又はペダル（７６）を押し下げ始める際の労力を特に軽減しようとするものである。
【００５７】
刺激体（１１）は、ストーンボール、セラミックボール等の蓄熱性を有する複数の固形粒状体を用いる。刺激体（１１）は、直径１０ミリメートルから２０ミリメートルの球形状の固形部材を用いると使用者の手足（１２）への指圧効果及び使用者の使用感度としては最適であるが、蓄熱性のある複数の固形粒状体であれば特に限定されるものではない。また、刺激体（１１）は、同一の大きさないし材質の固形粒状体から形成することもできるが、異なる大きさないし材質の固形粒状体から形成することもできる。
【００５８】
以上が、本発明の一実施形態に係る温熱マッサージ器具の構造についての説明である。次に、本発明の一実施形態に係る温熱マッサージ器具の使用態様について添付図面に基づいて説明する。
【００５９】
使用者は、所望の場所に容器本体（２）を設置して、温風ユニット収納室（２１）内に温風ユニット（３）を収納するとともに、温熱ユニット収納室（２２）内に温熱ユニット（４）を収納して、温熱マッサージ器具（１）を組み立てる。
【００６０】
使用者が温風ユニット（３）を稼働させると、送風機（３１）から送り出された空気が発熱体（３２）によって熱せられて温風となる。該温風は、温風案内体（１０）に当たることによって左右に二分され、通風口（２３ａ）を介して温熱ユニット収納室（２２）内へと進入する。該温風は、刺激体収容部（４１）を通り、送風機（９）によって導かれて通風口（４３ａ）を介してあるいは隔壁（４３）の上部から手足収容部（４２）内へと進入する。該温風は、通風口（４４ａ）を介して側壁（２４Ｂ）と側壁（４４Ｂ）との間に進入した後、通風口（２３ｂ）を介して温風ユニット収納室（２１）内へと回帰する。このように、温熱マッサージ器具（１）は、温風ユニット（４）から供給される温風を容器本体（２）内に効率良く循環させることができる。
【００６１】
使用者が手足収容部（２２）内の刺激体（１１）による手足（１２）に対する温熱マッサージを開始する場合には、使用者は手足（１２）を乗せて手足昇降板（６）を押し下げると、索部材（７３）が手足収容部（４２）方向に引っ張られることによって、刺激体昇降板（５）が引き上げられ、刺激体収容部（４１）内に収容されている刺激体（１１）を手足収容部（４２）内へと排出することができる。使用者が手足昇降板（６）を押し下げる際には、スプリング部材（８１ａ）によって刺激体（１１）を積載している刺激体昇降板（５）に上方への引上げ力が作用することから、使用者は少ない労力によって手足昇降板（６）を押し下げて手足収容部（４２）内に刺激体（１１）を排出することができる。
【００６２】
使用者が手足収容部（４２）内の刺激体（１１）による手足（１２）に対する温熱マッサージを終了する場合には、手足（１２）を手足昇降板（６）から降ろして、使用者が手足（１２）を乗せてペダル（７６）を押し下げると、索部材（７３）が刺激体収容部（４１）方向に引っ張られることによって、手足昇降板（６）が引き上げられ、手足収容部（４２）内に排出されている刺激体（１１）を刺激体収容部（４１）内へと収容することができる。また、使用者がペダル（７６）を押し下げて刺激体昇降板（５）を押し下げる際には、スプリング部材（８２ａ）によって刺激体（１１）を積載している手足昇降板（６）に上方への引上げ力が作用することから、使用者は少ない労力によって刺激体昇降板（５）を押し下げて刺激体収容部（４１）内に刺激体（１１）を収容することができる。
【符号の説明】
【００６３】
１  温熱マッサージ器具
２  容器本体
２１  温風ユニット収納室
２１ａ  切欠き
２２  温熱ユニット収納室
２２ａ  切欠き
２２ｂ  温熱ユニット案内体
２２ｃ  支持台
２２ｄ  スリット
２３  隔壁
２３ａ  通風口
２３ｂ  通風口
２４（Ａ，Ｂ，Ｃ，Ｄ）  側壁
２５  底面
３  温風ユニット
３１  送風機
３２  発熱体
３３  取付け板
４  温熱ユニット
４１  刺激体収容部
４１ａ  スリット
４２  手足収容部
４２ａ  スリット
４３  隔壁
４３ａ  通風口
４４（Ａ，Ｂ）  側壁
４４ａ  通風口
４５  刺激体収容部底板
４６  手足収容部底板
５  刺激体昇降板
５ａ  通風口
５ｂ  温度センサ
６  手足昇降板
６ａ  バイブレータ
７  連動昇降手段
７１  刺激体昇降板上下スライド機構
７１ａ  刺激体昇降板取付けスライダー
７１ｂ  刺激体昇降板取付けガイドレール
７１ｃ  刺激体昇降板支持アーム
７２  手足昇降板上下スライド機構
７２ａ  手足昇降板取付けスライダー
７２ｂ  手足昇降板取付けガイドレール
７２ｃ  手足昇降板支持アーム
７３  索部材
７４  滑車
７５  連結軸
７６  ペダル
８  スプリング部
８１  刺激体昇降板上方付勢スプリング部
８１ａ  スプリング部材
８１ｂ  索部材
８２  手足昇降板上方付勢スプリング部
８２ａ  スプリング部材
８２ｂ  索部材
９  送風機
１０  温風案内体
１１  刺激体
１２  手足
【図１】
2015126837.tif 000003
【図２】
2015126837.tif 000004
【図３】
2015126837.tif 000005
【図４】
2015126837.tif 000006
【図５】
2015126837.tif 000007
【図６】
2015126837.tif 000008
【図７】
2015126837.tif 000009
【図８】
2015126837.tif 000010
【図９】
2015126837.tif 000011
【図１０】
2015126837.tif 000012
【図１１】
2015126837.tif 000013
【図１２】
2015126837.tif 000014